(57)【要約】【課題】大量生産が可能となり製造コストを削減することができると共に、良好なコントラストの静止画像を得ることができる画像表示装置を提供する。【解決手段】透明電極１２の表面に光伝導層１３を設ける。表示画像のネガパターンが記録されているネガ白黒原板２１を介して光を照射すると、光伝導層１３の抵抗値が低下しネガパターンに応じて導電性を示す。透明電極１２と析出電極１５との間に所定の電圧を印加すると、電解質層１４に含まれる銀が析出し析出電極１５の表面に銀層１７が形成される。銀層１７が形成された領域はその表面が黒色であることから、反射率が低下し、これによりネガ白黒基板２１に対してネガ形状のパターン（静止画）が形成される。従来のマトリクス方式のように複雑な回路構成を用いることなく静止画像の記録および表示が可能になる。【選択図】        図２
2004157436.tif 000002
【特許請求の範囲】
【請求項１】
画像書き込み用の光が入射される透明性の第１の電極と、
この第１の電極に対向して配設された第２の電極と、
前記第１の電極と第２の電極との間に電圧を印加する電圧印加手段と、
前記第１の電極の前記第２の電極との対向面側に形成され、光が照射されるとその領域の抵抗値が低下して導電性を示す光伝導層と、
この光伝導層と前記第２の電極との間に形成され、前記第１の電極と第２の電極との間への電圧の印加および前記光伝導層の抵抗値の低下により入射光に対応した画像を表示する画像表示手段と
を備えたことを特徴とする画像表示装置。
【請求項２】
画像書き込み用の光が入射される透明性の第１の基板と、
この第１の基板に対向配置された第２の基板と、
前記第１の基板の前記第２の基板との対向面側に形成された透明電極と、
この透明電極の前記第２の基板との対向面側に形成され、光が照射されるとその領域の抵抗値が低下して導電性を示す光伝導層と、
この光伝導層と前記第２の基板との間に形成された、金属イオンを含む電解質層と、
この電解質層と前記第２の基板との間に形成され、前記透明電極との間で所定の電圧が印加されることにより、前記光伝導層のうちの光が照射された領域に対応した領域に前記電解質層に含まれる金属イオンが析出する析出電極と、
前記透明電極と析出電極との間に所定の電圧を印加する電圧印加手段と
を備えたことを特徴とする画像表示装置。
【請求項３】
前記電圧印加手段は、前記透明電極と前記析出電極との間に直流電圧を印加する直流電源と、画像の書き込みまたは消去に応じて、前記直流電源による印加電圧の極性を切り替える切替手段とを含む
ことを特徴とする請求項２記載の画像表示装置。
【請求項４】
前記第１の基板側から画像に応じた光を入射させる画像光入射手段として、画像のネガパターンが記録された原板と、この原板に光を照射する光源とが用いられる
ことを特徴とする請求項２記載の画像表示装置。
【請求項５】
前記原板はスライドである
ことを特徴とする請求項４記載の画像表示装置。
【請求項６】
前記第１の基板側から画像に応じた光を入射させる画像光入射手段として、自発光ディスプレイが用いられる
ことを特徴とする請求項２記載の画像表示装置。
【請求項７】
前記第１の基板における前記透明電極が形成された面と反対側の面にカラーフィルタを備えた
ことを特徴とする請求項２記載の画像表示装置。
【請求項８】
前記透明電極と前記析出電極との間に、前記光伝導層に電気的に接する強誘電層体層を有する
ことを特徴とする請求項２記載の画像表示装置。
【請求項９】
前記光伝導層は、アモルファスシリコン、硫化カドミウム、ポリビニルカルバゾールおよびパリレンベンゾイミダゾールのうちの少なくとも１種により形成されている
ことを特徴とする請求項２記載の画像表示装置。
【請求項１０】
前記電解質層は、電解質として銀塩を含有している
ことを特徴とする請求項２記載の画像表示装置。
【請求項１１】
前記第１の基板および第２の基板はそれぞれプラスチックフィルムにより形成されている
ことを特徴とする請求項２記載の画像表示装置。
【請求項１２】
透明性の第１の電極と、この第１の電極に対向して配設された第２の電極と、前記第１の電極の前記第２の電極との対向面側に形成され、光が照射されるとその領域の抵抗値が低下して導電性を示す光伝導層とを備えた構成を有する画像表示装置への画像記録方法であって、
前記第１の電極と第２の電極との間に所定の直流電圧を印加すると共に、前記第１の電極側から画像書き込み用の光を入射させて、前記光伝導層の抵抗値の低下により入射光に対応した画像を書き込む
ことを特徴とする画像記録方法。
【請求項１３】
透明性の第１の基板と、この第１の基板に対向配置された第２の基板と、前記第１の基板の前記第２の基板との対向面側に形成された透明電極と、この透明電極の前記第２の基板との対向面側に形成され、光が照射されるとその領域の抵抗値が低下して導電性を示す光伝導層と、この光伝導層と前記第２の基板との間に形成された、金属イオンを含む電解質層と、この電解質層と前記第２の基板との間に形成された析出電極とを備えた構成を有する画像表示装置への画像記録方法であって、
前記透明電極と析出電極との間に所定の直流電圧を印加すると共に、前記第１の基板側から画像書き込み用の光を入射させて前記光伝導層の抵抗値を低下させることにより、前記電解質層に含まれる金属イオンを前記析出電極に析出させて入射光に対応した画像を書き込む
ことを特徴とする画像記録方法。
【請求項１４】
書き込まれた画像を消去する際には、前記透明電極および析出電極に印加する電圧の極性を切り替える
ことを特徴とする請求項１３記載の画像記録方法。
【請求項１５】
前記第１の基板側から画像書き込み用の光を入射させる画像光入射手段として、画像のネガパターンが記録された原板と、この原板に光を照射する光源とを用いる
ことを特徴とする請求項１３記載の画像記録方法。
【請求項１６】
前記原板としてスライドを用いる
ことを特徴とする請求項１５記載の画像記録方法。
【請求項１７】
前記第１の基板側から画像書き込み用の光を入射させる画像光入射手段として、自発光ディスプレイを用いる
ことを特徴とする請求項１３記載の画像記録方法。
【発明の詳細な説明】
【０００１】
【発明の属する技術分野】
本発明は、静止画を表示する電子ペーパー等に用いて好適な画像表示装置および画像記録方法に関する。
【０００２】
【従来の技術】
近年、紙のように薄型・軽量で、かつ柔軟性に富む表示装置として電子ペーパーの開発が盛んに行われている。このような電子ペーパーは、電子ブックや電子新聞などへの応用が考えられている。
【０００３】
【発明が解決しようとする課題】
従来の電子ペーパーは、ピクセル毎に電極をマトリクス状に配設したものであり、その各ピクセルをオン，オフすることで画素表示を行っている（マトリクス方式）。しかし、この方式の電子ペーパーは、マトリクス状に配されたデータラインおよびスキャンライン数だけの配線が必要とされ、また、装置に要求される特性によっては駆動素子として薄膜トランジスタ（ＴＦＴ；Ｔｈｉｎ  Ｆｉｌｍ  Ｔｒａｎｓｉｓｔｏｒ）等が用いられ、そのＴＦＴの製造プロセスには微細で高度な技術を要することから、コスト面および技術面において大量生産に向かないものであった。
【０００４】
また、表示装置の画素の分解能を向上させる方式として、１９７０年代にヒューズやベル研では、光伝導型アドレス方式を用いた液晶素子の研究が行われていた。この光伝導型アドレス方式は、液晶プロジェクタのエンジンとして実用化されているが、電子ペーパー等へは応用されていない。更に、光伝導型アドレス方式をコレステリック液晶に対して応用することにより、電子ペーパーの実現を目指しているものもあるが、この技術ではコレステリック液晶の干渉色を用い、液晶の干渉色により画面の着色を行っている。そのため、白黒のコントラストはあまり良いといえなかった。
【０００５】
以上のように、大量生産が可能な電子ペーパーを実現するためには、マトリクス方式では高精細にするにつれ回路が複雑でコストがかかる、また、光伝導型アドレス方式では、コスト面においてメリットは高いが、コレステリック液晶を用いると、良好なコントラストが得られない等の問題があった。
【０００６】
本発明はかかる問題点に鑑みてなされたもので、その第１の目的は、大量生産が可能となり製造コストを削減することができる共に、良好なコントラストの静止画を表示することができる画像表示装置を提供することにある。
【０００７】
また、本発明の第２の目的は、本発明の画像表示装置に対して容易に画像の記録を行うことができる画像記録方法を提供することにある。
【０００８】
【課題を解決するための手段】
本発明による第１の画像表示装置は、画像書き込み用の光が入射される透明性の第１の電極と、この第１の電極に対向して配設された第２の電極と、前記第１の電極と第２の電極との間に電圧を印加する電圧印加手段と、前記第１の電極の前記第２の電極との対向面側に形成され、光が照射されるとその領域の抵抗値が低下して導電性を示す光伝導層と、この光伝導層と前記第２の電極との間に形成され、前記第１の電極と第２の電極との間への電圧の印加および前記光伝導層の抵抗値の低下により入射光に対応した画像を表示する画像表示手段とを備えた構成を有するものである。
【０００９】
本発明による第２の画像表示装置は、画像書き込み用の光が入射される透明性の第１の基板と、この第１の基板に対向配置された第２の基板と、前記第１の基板の前記第２の基板との対向面側に形成された透明電極と、この透明電極の前記第２の基板との対向面側に形成され、光が照射されるとその領域の抵抗値が低下して導電性を示す光伝導層と、この光伝導層と前記第２の基板との間に形成された、金属イオンを含む電解質層と、この電解質層と前記第２の基板との間に形成され、前記透明電極との間で所定の電圧が印加されることにより、前記光伝導層のうちの光が照射された領域に対応した領域に前記電解質層に含まれる金属イオンが析出する析出電極と、前記透明電極と析出電極との間に所定の電圧を印加する電圧印加手段とを備えた構成を有している。
【００１０】
また、本発明による第１の画像記録方法は、本発明の第１の画像表示装置において、前記第１の電極と第２の電極との間に所定の直流電圧を印加すると共に、前記第１の電極側から画像書き込み用の光を入射させて、前記光伝導層の抵抗値の低下により入射光に対応した画像を書き込むものである。
【００１１】
本発明による第２の画像記録方法は、本発明の第２の画像表示装置において、前記透明電極と析出電極との間に所定の直流電圧を印加すると共に、前記第１の基板側から画像書き込み用の光を入射させて前記光伝導層の抵抗値を低下させることにより、前記電解質層に含まれる金属イオンを前記析出電極に析出させて入射光に対応した画像を書き込むものである。
【００１２】
本発明による第１の画像表示装置では、第１の電極と第２の電極との間に所定の直流電圧が印加されると共に、第１の電極側から画像書き込み用の光が入射されると、光伝導層の抵抗値の低下によって入射光に対応した画像が書き込まれる。
【００１３】
本発明による第２の画像表示装置では、透明電極と析出電極との間に所定の直流電圧が印加されると共に、第１の基板側から画像書き込み用の光が入射されると、光伝導層の抵抗値が低下する。これにより電解質層に含まれる金属イオンが析出電極に析出してその反射率の変化により入射光に対応した画像が書き込まれた状態となる。
【００１４】
【発明の実施の形態】
以下、本発明の実施の形態について、図面を参照して詳細に説明する。
【００１５】
図１は、本発明の一実施の形態に係る画像表示装置１０の一部の断面構成を表すものである。この画像表示装置１０は、ＥＤＤ（Ｅｌｅｃｔｒｉｃ  Ｄｅｐｏｓｉｔｉｏｎ  Ｄｅｖｉｃｅ）方式の電子ペーパーである。画像表示装置１０は、金属イオン例えば銀イオンを含む電解質層１４を間にして透明基板（第１の基板）１１と基板（第２の基板）１６を対向配置した構成を有している。透明基板１１の基板１６との対向面には透明電極１２、一方、基板１６の透明基板１１との対向面には後述の金属イオン（銀イオン）が析出され画像に対応したパターンの金属層が形成される析出電極１５がそれぞれ形成されている。透明電極１２の上には、画像光の照射に応じて抵抗値が部分的に低下し、その部分において導電性を示す光伝導層１３が形成されている。
【００１６】
透明電極１２と析出電極１５との間には電圧印加手段としての直流電源１８Ａ，１８Ｂおよび極性切替手段としてのスイッチ１９Ａ，１９Ｂが配設されている。スイッチ１９Ａの切替端子１９ａは析出電極１５、スイッチ１９Ｂの切替端子１９ｂは透明電極１２にそれぞれ電気的に接続されており、切替端子１９ａ，１９ｂが直流電源１８Ａ側に切り替えられたときには透明電極１２と析出電極１５との間に正（＋）の直流電圧（例えば、＋０．７Ｖ）が印加され、後述のように画像の書き込みが行われるようになっている。他方、切替端子１９ａ，１９ｂが直流電源１８Ｂ側に切り替えられたときには透明電極１２と析出電極１５との間に負（−）の直流電圧（例えば、−１．０Ｖ）が印加され、後述のように画像の消去が行われるようになっている。
【００１７】
透明基板１１は、ガラス材料や高分子材料からなり、その厚さは例えば１２５μｍである。本実施の形態では、この透明基板１１側が表示画面となっており、画像書き込み用の光が入射されるようになっている。
【００１８】
高分子材料としては、例えばポリエチレンナフタレートやポリエチレンテレフタレート等のエステル類、ポリアミド、ポリカーボネイト、酢酸セルロース等のセルロースエステル類、ポリフッ化ビニリデン、ポリテトラフルオロエチレン、ヘキサフルオロプロピレン等のフッ素ポリマー類、ポリオキシメチレン等のポリエーテル類、ポリアセタール、ポリスチレン、ポリエチレン、ポリプロピレン、メチルペンテンポリマー等のポリオレフィン類、ポリイミドアミドやポリエーテルイミド等のポリイミド類等が挙げられる。このような高分子材料を用いる場合、剛性基板状としてもよいが、電子ペーパーとして用いる場合には可撓性のフィルム状とすればよい。
【００１９】
透明電極１２は、例えば、酸化インジウム錫（Ｉｎｄｉｕｍ  Ｔｉｎ  Ｏｘｉｄｅ；ＩＴＯ）  からなり、その厚さは２５０ｎｍである。その他、酸化錫（ＳｎＯ２  ）、酸化インジウム（Ｉｎ２  Ｏ３  ）、酸化亜鉛（ＺｎＯ）または酸化マグネシウム（ＭｇＯ）により透明電極１２を形成するようにしてもよい。
【００２０】
光伝導層１３は、常時は高抵抗であり導電性は示さないが、透明基板１１側から画像書き込み用の光が照射されると、光が照射された部分の抵抗値が低下し、その部分において導電性を示すものである。具体的な材料としては、例えばアモルファスシリコン（ａ−Ｓｉ）、硫化カドミウム（ＣｄＳ）等の無機材料、あるいはポリビニルカルバゾール（Ｐｏｌｙｖｉｎｙｌｃａｒｂａｚｏｌｅ）、パリレンベンゾイミダゾール（Ｐａｌｙｌｅｎｅ  Ｂｅｎｚｉｍｉｄａｚｏｌｅ）等の有機材料がある。光伝導層１３の厚さは、例えば２００ｎｍ以上１μｍ以下である。
【００２１】
電解質層１４は、電解質として、例えば銀塩が混合され、紫外線等の光や熱により重合化された高分子電解質からなり、その厚さは例えば２００μｍである。銀塩としては、ヨウ化銀（ＡｇＩ）等のハロゲン化銀、硝酸銀、ホウフッ化銀、過塩素酸銀、シアン化銀またはチオシアン化銀であり、これらの群のうちの１種あるいは数種を組み合わせ用いてもよい。
【００２２】
高分子電解質を形成するための出発物質としては、その骨格ユニットがそれぞれ−〔（ＣＨ２  ）ｍ  Ｏ〕ｎ  −、−〔（ＣＨ２  ）ｍ  Ｎ〕ｎ  −、または−〔（ＣＨ２  ）ｍ  Ｓ−〕ｎ  −で表される、ポリエチレンオキサイド等のポリアルキレンオキサイド、ポリエチレンイミン等のポリアルキレンイミン、ポリエチレンスルフィド等のポリアルキレンスルフィド、または、これらを主鎖構造として枝分かれした高分子材料、ポリアクリレート、ポリメチルメタクリレート、ポリフッ化ビニリデン、ポリカーボネート、ポリアクリロニトリル、ポリビニルアルコール、および、これらの混合物からなる群のうちの少なくとも１種が挙げられる。なお、ｍおよびｎは、１以上５以下の値が望ましい。
【００２３】
また、電解質層１４に、この電解質層１４の加工性を良くするための可塑剤を添加するのが望ましい。このような可塑剤として、例えばポリマーが親水性の場合には、水、エチルアルコール、イソプロピルアルコールおよびこれらの混合物が好ましく、ポリマーが疎水性の場合には、エチレンカーボネート、プロピレンカーボネート、ブチレンカーボネート、ジメチルカーボネート、エチルメチルカーボネート、γーブチロラクトン、アセトニトリル、プロピオニトリル、スルホラン、ジメトキシエタン、ジエトキシエタン、テトラヒドロフラン、酢酸メチル、酢酸エチル、プロピオン酸エチル、ホルムアミド、ジメチルホルムアミド、ジエチルホルムアミド、ジメチルスルホキシド、ジメチルアセトアミド、ｎ−メチルプロリドン等（特に非プロトン性溶媒）、およびこれらの混合物からなる群のうちの少なくとも１種が挙げられる。
【００２４】
本実施の形態では、表示のコントラストを高めるために、電解質層１４に対して白色粒子、白色布および白色紙からなる群のうちの少なくとも１種からなる白色化補助材料を含ませるようにすることが望ましい。このような白色化補助材料としては、二酸化チタン（ＴｉＯ２  ）、炭酸カルシウム（ＣａＣＯ３  ）、二酸化珪素（ＳｉＯ２  ）、酸化マグネシウム（ＭｇＯ）、酸化アルミニウム（Ａｌ２  Ｏ３  ）等からなる群のうちの少なくとも１種が用いられる。
【００２５】
析出電極１５は、例えば銀からなり、その厚さは１０μｍである。析出電極１５の材料としては、その他、白金、クロム、アルミニウム、コバルト、パラジウム等が挙げられる。
【００２６】
基板１６も透明基板１１と同様に例えばガラス材料や高分子材料からなり、その厚さは例えば１２５μｍである。具体的な材料も透明基板１１と同じものを用いることができる。なお、この基板１６側は透明基板１１と異なり、光は入射されないので、非透明の材質のものを用いることもできる。
【００２７】
次に、図３および図４を参照して、この画像表示装置１０の製造方法について説明する。まず、図３（Ａ）に示したように、先に挙げた高分子材料からなる透明基板１１上に、例えばスパッタリング法を用いて酸化インジウム錫からなる透明電極１２を形成する。続いて、例えば蒸着法によって、透明電極１２の上に、例えばアモルファスシリコンからなる光伝導層１３を形成する。続いて、図３（Ｂ）に示したように、例えばホットプレス法によって、光伝導層１３の上に、ポリエチレンテレフタレート等の高分子材料からなるスペーサ１４Ａを形成する。このスペーサ１４Ａは、例えば深さが２００μｍの開口部１４ａを有するものとする。次いで、図３（Ｃ）に示したように、開口部１４ａに、電解質として例えば銀塩が混合された高分子電解質からなる溶液を塗布する。続いて、例えば紫外線（出力；５〜２００ｍＷ、照射量；５０００Ｊ／ｃｍ２  、時間；数分〜３０分間程度）を照射することにより、高分子電解質からなる溶液を重合させる。
【００２８】
次に、図４（Ａ）に示したように、スペーサ１４Ａの上に、析出電極１５が形成された基板１６を重ねる。最後に、図４（Ｂ）に示したように、紫外線を透明基板１１の表面に照射することにより、基板１６をスペーサ１４Ａが形成された透明基板１１に貼り合わせる。
【００２９】
次に、この画像表示装置１０に対する画像（静止画像）の書き込み方法および消去方法について説明する。
【００３０】
まず、画像を書き込むときには、図２に示したように、透明基板１１に並行に所定の間隔をおいて、あるいは透明基板１１に接触するように画像パターンを有するネガ白黒原板２１を配置する。次に、スイッチ１９Ａ，１９Ｂの切替端子１９ａ，１９ｂを直流電源１８Ａ側に切り替えることにより、透明電極１２と析出電極１５との間に正（＋）の直流電圧（例えば、＋０．７Ｖ）を印加する。この状態で、白色光源２０を点灯させてネガ白黒原板２１に白色光を照射すると、ネガ白黒基板２０の透明部分では白色光が透過し、その白色光が透明電極１２を通じて光伝導層１３に到達する。
【００３１】
この光伝導層１３の白色光が到達した領域（ネガ白黒原板２１の透明部分に対応した領域）では、その領域の抵抗値が低下し導電性を示すようになる。すなわち、透明電極１２と析出電極１５との間が通電状態となり、電解質層１４に含まれる銀イオン（Ａｇ＋  ）が析出電極１５の表面うちのネガ白黒原板２１の透明部分に対応した領域に析出し銀層１７が形成される。このように銀層１７が形成された領域はその表面が黒色であることから反射率が小さいので、透明基板１１側から見ると、ネガ白黒原板２１に対する反転画像が視認される。
【００３２】
ここで、光照射を止めると、光伝導層１３のネガ白黒原板２１の透明部分に対応した領域の抵抗が大きくなり非導通状態となって光伝導層１３側の電極（透明電極１２）が絶縁される。そして、電圧の印加を停止すると、析出電極１５に析出された銀は徐々に溶媒中に溶解を始めるが、その時定数が長いので、しばらくの間は表示画像が維持される。
【００３３】
このようにして画像表示装置１０に表示された画像を消去するときには、ネガ白黒原板２１を取り外すと共に、スイッチ１９Ａ，１９Ｂの切替端子１９ａ，１９ｂを直流電源１８Ｂ側に切り替えることにより、透明電極１２と析出電極１５との間に負（−）の直流電圧（例えば、−１．０Ｖ）を印加しながら、透明基板１１側から全面に白色光を照射する。これにより析出された銀が溶媒中に溶解して画像が消去される。ネガ白黒原板２１を取り付けた状態でも電圧印加と同時に白色光を照射すると、析出した銀は溶解するが、その場合はさらにネガ原板を取り外して再度全面に白色光を照射しながら電圧を印加することにより全面を同じ色合いにさせることができ、きれいな表示を維持することができる。
【００３４】
このように本実施の形態の画像表示装置１０では、表示側の透明電極１２に接して光が入射されることにより抵抗値が低下する光伝導層１３を設けるようにしたので、透明電極１２と析出電極１５との間に所定の電圧を印加すると共に、ネガ白黒原板２１を介して光を照射するだけで画像の書き込みができる。従って、従来のマトリクス方式のように複雑な回路構成を用いることなく、良好なコントラストの静止画の記録および表示が可能となり、また、大量生産が可能となり、製造コストを削減することができる。
【００３５】
〔変形例１〕
上記実施の形態の画像表示装置１０では、白黒の静止画像を表示するものとしたが、図５に示した表示装置３０のように透明基板１１の裏面に、減法混色であるシアン（Ｃ）、マゼンダ（Ｍ）およびイエロー（Ｙ）のドットが規則的に配列されたカラーフィルタ３１を配設することによりカラー画像を表示させることもできる。このカラーフィルタ３１において、シアンのドットでは緑色光および青色光が反射され、赤色光が透過し、マゼンダのドットでは赤色光および青色光が反射され、緑色光が透過し、イエローのドットでは赤色光および緑色光が反射され、青色光が透過する。なお、カラーフィルタ３１は反射型液晶のフィルタのように２回透過することを前提として色濃度が薄めに選ばれている。
【００３６】
この画像表示装置３０への画像書き込みは、図６に示したように、透明基板１１に並行に、例えば、白（Ｗ）、赤（Ｒ）、緑（Ｇ）および青（Ｂ）のパターン（反転画像）が形成されたネガカラー原板４１を配置し、上記実施の形態と同様に、透明電極１２と析出電極１５との間に例えば＋０．７Ｖの電圧を印加する。この状態で、ＲＧＢ光源４０を点灯してネガカラー原板４１にＲＧＢを持つ白色光を照射すると、基本的には白黒表示の場合と同様の原理により、光照射による光伝導層１３の抵抗値の変化によりコントラストの良好なカラー表示がなされる。
【００３７】
すなわち、ネガカラー原板４１の反転画像が照射されると、ネガカラー原板４１の赤の部分に対応する部分では赤色光が透過し、光伝導層１３のその部分に対応する領域に光が照射される。よって、透明電極１２と析出電極１５との間に電圧が印加されていると、カラーフィルタ３１のシアンの部分に対応する領域に銀が析出して銀層１７が形成され、その部分において反射率が低下する。結果的に、元画像の青の部分および緑の部分に対応する領域のみの反射率が高いので青および緑が表示される。更に、ネガカラー原板４１の緑の部分では、赤および青が表示され、青の部分では赤および緑が表示される。このように本変形例では、透明基板１１の裏面にカラーフィルタ３１を配置することにより、カラーの記録および表示が可能となる。
【００３８】
〔変形例２〕
上記画像表示装置１０においては、光照射を止めると、しばらくの間は通電状態が続き表示画像が維持されるが、その維持状態をさらに長くするためには、図７に示したような構成とすればよい。この画像表示装置５０は、析出電極１５の表面に、例えばチタン酸バリウム（ＢａＴｉＯ３  ）等のペロブスカイト型強誘電体材料やポリフッ化ビニリデン等からなる強誘電体層５１を設けたものである。このような構成により、強誘電性物質のヒステリシスに基づく残留電圧を利用して、透明電極１２と析出電極１５との間に印加される電圧が維持され、より長く表示状態を維持することができる。なお、ここでは、強誘電体層５１を析出電極１５と電解質層１４の間に配置しているが、光伝導層１３と電解質層１４との間等、光伝導層１３と析出電極１５との間であれば何処に形成するようにしてもよい。
【００３９】
以上、実施の形態を挙げて本発明を説明したが、本発明は上記実施の形態に限定されるものではなく、種々変形が可能である。例えば、光入射手段として、光源およびネガ原板を用いるようにしたが、有機ＥＬ（Ｅｌｅｃｔｒｏｌｕｍｉｎｅｓｃｅｎｃｅ  ）等の自発光型のディスプレイを用いるようにしてもよい。
【００４０】
また、本発明は一対の電極間に光伝導層を備え、光照射によるこの光伝導層の低下を利用して画像の表示を行うものであり、上記のような金属析出型電子ペーパーのみならず、電気泳動方式や、エレクトロクロミックなどの他の方式の電子ペーパーに対しても応用することが可能である。
【００４１】
【発明の効果】
以上説明したように本発明の画像表示装置および画像記録方法によれば、透明性の第１の電極と、この第１の電極に対向して配設された第２の電極との間に、光が照射されるとその領域の抵抗値が低下して導電性を示す光伝導層とを備えた構成とし、かつ、第１の電極と第２の電極との間に所定の直流電圧を印加すると共に、第１の電極側から画像書き込み用の光を入射させて、光伝導層の抵抗値の低下により入射光に対応した画像を書き込むようにしたので、従来のマトリクス方式のように複雑な回路構成を必要とすることなく、良好なコントラストの静止画を表示することができ、また、大量生産も可能であり、製造コストを削減することができる。
【図面の簡単な説明】
【図１】本発明の一実施の形態に係る画像表示装置の断面構成図である。
【図２】画像表示装置への書き込み方法を説明するための図である。
【図３】画像表示装置の製造方法を説明するための工程図である。
【図４】図３に続く工程図である。
【図５】画像表示装置の変形例を表す断面構成図である。
【図６】図５の画像表示装置への書き込み方法を説明するための図である。
【図７】画像表示装置の他の変形例を表す断面構成図である。
【符号の説明】
１０，  ３０，  ５０・・・  画像表示装置、１１・・・  透明基板、１２・・・  透明電極、１３・・・  光伝導層、１４・・・  電解質層、１４Ａ・・・  スペーサ、１４ａ・・・  開口部、１５・・・  析出電極、１６・・・  基板、１７・・・  銀層、１８Ａ，  １８Ｂ・・・  直流電源、１９Ａ，  １９Ｂ・・・  スイッチ、１９ａ，  １９ｂ・・・  切替端子、２０・・・  白色光源、２１・・・  ネガ白黒原板、４０・・・  ＲＧＢ光源、４１・・・  ネガカラー原板、５１・・・  強誘電体層
【図１】
2004157436.tif 000003
【図２】
2004157436.tif 000004
【図３】
2004157436.tif 000005
【図４】
2004157436.tif 000006
【図５】
2004157436.tif 000007
【図６】
2004157436.tif 000008
【図７】
2004157436.tif 000009